(57)【要約】【課題】媒体収納部に集積する媒体の集積状態を安定させる手段を提供する。【解決手段】媒体を搬入する搬入口２１と、搬入口２１から搬入された媒体を上下方向に集積する集積板２３と、搬入口２１から搬入された媒体の搬入方向における前方に設けられた前面板２４ａと、集積板２３を挟んで前面板２４ａに対向配置された後面板２４ｂと、前面板２４ａに設けられ、後面板２４ｂに突出した集積ガイド板２６と、を有し、集積ガイド板２６は、最下部と集積板２３との上下方向における間隔が、搬入方向における媒体の長さより短く形成されている。【選択図】        図２
2018049493.tif 000002
【特許請求の範囲】
【請求項１】
媒体を搬入する搬入口と、
前記搬入口から搬入された媒体を上下方向に集積する集積板と、
前記搬入口から搬入された媒体の搬入方向における前方に設けられた第１の側壁面と、
前記集積板を挟んで前記第１の側壁面に対向配置された第２の側壁面と、
前記第１の側壁面に設けられ、前記第２の側壁面側に突出した集積ガイド部と、
を有し、
前記集積ガイド部は、最下部と前記集積板との上下方向における間隔が、前記搬入方向における媒体の長さより短く形成されていることを特徴とする媒体収納部。
【請求項２】
請求項１に記載の媒体収納部において、
前記集積板と対向配置された搬入ガイド部を有し、
前記搬入ガイド部は、
前記搬入方向に沿って配置された上面部と、
前記集積ガイド部の前記第２の側壁面側に配置され、最下部が前記集積ガイド部の最上部より下方に配置された側壁部と、
前記上面部と前記側壁部とを結ぶ湾曲部と、
を有することを特徴とする媒体収納部。
【請求項３】
請求項２に記載の媒体収納部において、
前記集積ガイド部と、前記搬入ガイド部の側壁部との間に隙間が形成されていることを特徴とする媒体収納部。
【請求項４】
請求項１から請求項３のいずれかに記載の媒体収納部において、
前記集積板は、前記第２の側壁面から前記第１の側壁面に向けて下る方向に傾斜していることを特徴とする媒体収納部。
【請求項５】
請求項１から請求項４のいずれかに記載の媒体収納部において、
前記集積ガイド部は、前記第２の側壁面側に突出した突出部より上方に形成された支持部において、前記第１の側壁面に固定されていることを特徴とする媒体収納部。
【請求項６】
請求項１から請求項５のいずれかに記載の媒体収納部において、
前記第１の側壁面、前記第２の側壁面、および集積板は、一体となって本体に対して着脱可能に構成されていることを特徴とする媒体収納部。
【請求項７】
請求項１から請求項６のいずれかに記載の媒体収納部において、
前記集積板に集積された媒体の先端部が前記集積ガイド部の最下部に到達する前に、前記集積板に集積された媒体が満杯になったことを検知する満杯検知手段を有することを特徴とする媒体収納部。
【請求項８】
請求項１から請求項７のいずれかに記載の媒体収納部を備えたことを特徴とする発券装置。
【発明の詳細な説明】
【技術分野】
【０００１】
本発明は、媒体を集積して収納する媒体収納部およびその媒体収納部を備えた発券装置に関する。
【背景技術】
【０００２】
従来の発券装置は、ロール紙を所定の長さに切断して乗車券の原券を作成し、作成した原券の裏面に発行日や料金を磁気情報で書込むと共におもて面に同様の内容を印刷して乗車券を発行し、書込んだ磁気情報に不良等が発生した場合は、当該不良券をパンチ部で穿孔した後に廃券回収部の搬入口から内部に搬入して集積板上に集積するようにしている（例えば、特許文献１参照）。
【先行技術文献】
【特許文献】
【０００３】
【特許文献１】特開２００４−３１８６８０号公報
【発明の概要】
【発明が解決しようとする課題】
【０００４】
しかしながら、従来の技術においては、廃券回収部等の媒体収納部に媒体を集積する場合、媒体収納部の壁板と、集積板上に集積された媒体との間に形成された隙間に、搬入された媒体の先端が入り込むことにより、媒体が立位の状態になってしまい媒体の集積状態が安定しないという問題がある。
本発明は、このような問題を解決することを課題とし、媒体収納部に集積する媒体の集積状態を安定させることを目的とする。
【課題を解決するための手段】
【０００５】
そのため、本発明は、媒体を搬入する搬入口と、前記搬入口から搬入された媒体を上下方向に集積する集積板と、前記搬入口から搬入された媒体の搬入方向における前方に設けられた第１の側壁面と、前記集積板を挟んで前記第１の側壁面に対向配置された第２の側壁面と、前記第１の側壁面に設けられ、前記第２の側壁面側に突出した集積ガイド部と、を有し、前記集積ガイド部は、最下部と前記集積板との上下方向における間隔が、前記搬入方向における媒体の長さより短く形成されていることを特徴とする。
【発明の効果】
【０００６】
このようにした本発明は、媒体収納部に集積する媒体の集積状態を安定させることができるという効果が得られる。
【図面の簡単な説明】
【０００７】
【図１】実施例における発券装置の構成を示す概略側断面図
【図２】実施例における廃券回収部の構成を示す説明図
【図３】実施例における廃券回収部の斜視図
【図４】実施例における回収カセットの斜視図
【図５】実施例における回収カセットおよびステージの説明図
【図６】実施例における媒体集積動作の説明図
【図７】比較例における媒体集積動作の説明図
【図８】実施例における収納カセットの取り外し説明図
【発明を実施するための形態】
【０００８】
以下、図面を参照して本発明による媒体収納部および発券装置の実施例を説明する。
【実施例】
【０００９】
図１は実施例における発券装置の構成を示す概略側断面図、図２は実施例における廃券回収部の構成を示す説明図、図３は実施例における廃券回収部の斜視図である。図２（ａ）は廃券回収部の概略側断面図であり、図２（ｂ）は廃券回収部の概略側面図である。
【００１０】
以下に、図１および図２を用いて本実施例の発券装置の廃券回収部について説明する。
【００１１】
本実施例の媒体発行装置としての発券装置１は、空港の航空会社の案内カウンタや、鉄道の駅のみどりの窓口（東日本旅客鉄道株式会社の登録商標）等の出札所に設置された、航空券や、比較的大型の乗車券である特急券や周遊券、定期券および領収書等の媒体Ｔの発行や料金の払い戻しを行う装置であって、図１に示す構成を備えている。
【００１２】
以下の説明においては、鉄道の駅の出札所に設置された発券装置１を例に説明するが、空港の案内カウンタ等に設置された発券装置１の場合も同様である。
【００１３】
ロール紙２は、発券装置１の正面下部に設けられたローラ２ａ上に載置されたロール状に巻き付けられた帯状の連続紙であって、磁気コーティングが施された裏面（磁気面ともいう。）を、半径方向の外側に向けてロール状に巻き付けられている。
【００１４】
カッタ３は、固定刃と可動刃を対向配置した切断機構を備えており、搬送路４により搬送されたロール紙２を、特急券や指定券、周遊券等の各媒体Ｔとして所定の長さＬに切断して各媒体Ｔの原券を作成する。
【００１５】
本実施例の搬送路４は、複数の搬送ローラにより媒体Ｔを挟持して搬送する搬送路であって、その各分岐部には、媒体Ｔの搬送方向を切替える図示しない切替機構が設けられており、搬送モータ４ａを備えた駆動機構により駆動される。
【００１６】
定期券収納部５は、裏面に磁気コーティングが施された矩形の定期券の原券を厚さ方向に積層して収納した収納部であって、水平に配置されたステージ上におもて面を上にして積層された原券を１枚毎に繰出す、ピックアップローラ、フィードローラ、リバースローラ等からなる繰出機構５ａを備えている。
【００１７】
印字部６は、感熱式等の印字ヘッドを備えており、カッタ３で切断された各媒体Ｔの原券のおもて面（印字面ともいう。）や、定期券収納部５から繰出された定期券の原券のおもて面に、発行日や乗車区間、料金、有効期間等の所定の事項を印字する。
【００１８】
磁気部７は、磁気ヘッドを備えた磁気書込部７ａと磁気読取部７ｂとで構成され、搬送路４により搬送された各原券に、磁気書込部７ａで、印字部６において印字された所定事項と同様の所定の磁気情報を書込み、磁気読取部７ｂで、磁気書込部７ａにより書込まれた磁気情報を読取って、書込まれた情報の正否を判定する。
【００１９】
発券口８は、発券装置１の正面上部に配置され、印字部６で原券の印字面に所定事項が印字され、磁気部７で所定の磁気情報が書込まれ、正券と判定された特急券や周遊券、定期券等の媒体Ｔを出札所の係員に引渡す。
【００２０】
入券口１１は、発券口８の上方に配置され、払い戻し等を行う特急券や周遊券等の媒体Ｔが、印字面を上にして出札所の係員により挿入される。
【００２１】
廃券印字部１２は、ドットインパクト式の印字ヘッド、プラテン、インクリボン等を備えており、入券口１１から挿入され、磁気部７で磁気情報を消去して搬送路４により搬送された媒体Ｔや、媒体Ｔの発行時に磁気部７で磁気情報の不良等により廃券と判定され、搬送路４により搬送された媒体Ｔのおもて面に、赤字印字により廃券の旨の文言を印字する廃券印字を行う。
【００２２】
パンチ部１３は、円柱状の切刃と、切刃に遊嵌するガイド穴等を備えており、廃券印字部１２で廃券印字を行った後に搬送路４により搬送された媒体Ｔに穿孔を行う。
【００２３】
媒体収納部としての廃券回収部２０は、廃券印字部１２で廃券印字が行われ、パンチ部１３で穿孔された後に搬送路４により搬送された媒体Ｔを集積する集積庫であって、図２に示す構成を備えている。
【００２４】
廃券回収部２０は、図２に示すように、搬入ローラ２２と、集積板２３と、前面板２４ａと、後面板２４ｂと、側板２４ｃ、２４ｄと、搬入ガイド板２５と、集積ガイド板２６と、後面ガイド２８と、回転抑止板２９と、満杯検知センサ５１とを有している。
【００２５】
搬入ローラ２２は、媒体Ｔを搬入する搬入口２１に回転可能に設けられ、媒体Ｔを挟持して放出し、媒体収納空間に搬入するものである。ここで、媒体Ｔは、搬入方向の長さが所定の長さＬ、搬入方向と直交する方向の幅が所定の幅として矩形状に切断されたものである。
【００２６】
集積板２３は、搬入ローラ２２により放出され、搬入口２１から搬入された媒体Ｔを厚さ方向（上下方向）に集積するものである。
【００２７】
第１の側壁面としての前面板２４ａは、搬入ローラ２２により搬入される媒体Ｔの搬入方向における前方に設けられたものである。
第２の側壁面としての後面板２４ｂは、集積板２３を挟んで前面板２４ａに対向配置され、上部に搬入口２１が設けられたものである。
２枚の側板２４ｃ、２４ｄは、前面板２４ａと後面板２４ｂとの側方に設けられたものである。
【００２８】
搬入ガイド部としての搬入ガイド板２５は、集積板２３に対向配置されたものである。この搬入ガイド板２５は、集積板２３および集積ガイド板２６の上方に設けられ、搬入される媒体Ｔを集積ガイド板２６に案内するものである。
【００２９】
集積ガイド部としての集積ガイド板２６は、前面板２４ａに設けられ、後面板２４ｂ側に突出したものである。この集積ガイド板２６は、集積板２３の上方であって、搬入ガイド板２５と前面板２４ａとの間に配置され、搬入される媒体Ｔを集積板２３に集積するように案内するものである。集積ガイド板２６は、後面板２４ｂ側に突出した突出部より上方に形成された支持部２６ｅにおいて、前面板２４ａにネジ２６ａで固定されている。
【００３０】
後面ガイド２８は、前面板２４ａおよび集積ガイド板２６に対向配置され、媒体Ｔの収納空間を形成するものである。
【００３１】
回転抑止板２９は、搬入ガイド板２５と後面ガイド２８との間に設けられ、搬入される媒体Ｔの回転を抑止するものである。
【００３２】
集積板２３は、廃券回収部２０の底部に設けられ、後面板２４ｂから前面板２４ａに向かって下る方向に所定の傾斜角（本実施例では、１０度）で傾斜するように設けられている。この集積板２３の一端は、前面板２４ａの最下部と接続している。
【００３３】
搬入ガイド部としての搬入ガイド板２５は、集積板２３と対向配置され、図中矢印Ａが示す媒体搬入方向における上流側の搬入口２１から下流側に向かって順に、天板部２５ａと、湾曲部２５ｂと、壁部２５ｃとが形成されている。
【００３４】
上面部としての天板部２５ａは、媒体搬入方向における搬入口２１の下流側に媒体搬入方向に沿って配置され、媒体搬入方向の上流側から下流側に向かって廃券回収部２０の底部に近づくように傾斜している。
【００３５】
湾曲部２５ｂは、天板部２５ａと壁部２５ｃとの間に天板部２５ａと壁部２５ｃとを結ぶように形成され、搬入ローラ２２に対して反対側の天板部２５ａの端部に連続し、湾曲するように形成されたものである。
【００３６】
側壁部としての壁部２５ｃは、集積ガイド板２６の後面板２４ｂ側に配置され、最下部が集積ガイド板２６の最上部より下方に配置されたものである。この壁部２５ｃは、媒体搬入方向における湾曲部２５ｂの下流側に、前面板２４ａと略平行するように形成されたものである。
【００３７】
集積ガイド板２６は、搬入ガイド板２５の壁部２５ｃと、前面板２４ａとの間に配置され、前面板２４ａと略平行するように配置、形成されたものである。また、集積ガイド板２６と、搬入ガイド板２５の壁部２５ｃとの間に隙間が形成されている。
【００３８】
集積ガイド板２６は、その最下端である最下部２６ｄの廃券回収部２０の底部からの高さが所定の高さＬ１、即ち集積ガイド板２６の最下部２６ｄは、前面板２４ａの最下端（集積板２３）からの高さが所定の高さＬ１となるように配置されている。本実施例では、高さＬ１を媒体搬入方向における媒体Ｔの長さである媒体長Ｌより小さくしている。
【００３９】
このように、集積ガイド板２６は、最下部と集積板２３との上下方向における間隔が、媒体搬入方向における媒体Ｔの長さより短く形成されている。
また、集積ガイド板２６は、前面板２４ａとの間隔が所定の距離Ｌ２（例えば、４ｍｍ）となるように配置されている。
【００４０】
満杯検知手段としての満杯検知センサ５１は、集積板２３に集積された媒体が満杯になったことを検知するセンサ（例えば、光学センサ等）であり、集積板２３に集積された媒体の先端部が集積ガイド板２６の最下部に到達する前に、集積板２３に集積された媒体が満杯になったことを検知するものである。満杯とは、集積板２３上に集積した媒体が所定量に達し、媒体を集積する空間が確保できない状態であり、本実施例では、集積板２３上に集積された媒体の先端部が集積ガイド板２６の最下部に到達しない位置に設定されている。
【００４１】
この満杯検知センサ５１で満杯になったことが検知されると、媒体Ｔの搬入が停止される。したがって、集積板２３上に集積された媒体の先端部が集積ガイド板２６の最下部に到達することはない。
【００４２】
図４は実施例における回収カセットの斜視図、図５は実施例における回収カセットおよびステージの説明図である。なお、図５（ａ）は図４の矢印Ｃが示す方向から見た図であり、図５（ｂ）は図４の矢印Ｄが示す方向から見た図である。
【００４３】
図４および図５において、集積板２３、前面板２４ａ、後面板２４ｂ、側板２４ｃ、２４ｄ、および集積ガイド板２６は、回収カセット３０として一体となっており、図３に示す廃券回収部２０のステージ４０上に載置され、また廃券回収部２０のステージ４０に対して着脱可能になっている。
【００４４】
側板２４ｃには、操作者が操作するための取手孔３１が形成されている。
【００４５】
なお、集積ガイド板２６は、後面板２４ｂ側に突出するように、ネジ２６ａにより前面板２４ａに固定されている。また、集積ガイド板２６は、長孔２６ｂおよび丸孔２６ｃによって側板２４ｃと側板２４ｄとの間の方向の位置が決められている。
【００４６】
また、側板２４ｃと側板２４ｄとの間の方向における集積ガイド板２６の幅Ｌ３、即ち図２において図中矢印Ａが示す媒体Ｔの搬入方向および上下方向と直交する幅方向の長さＬ３は、媒体Ｔの搬入方向と直交する幅方向の長さと略同じになるように設定されている。
【００４７】
ステージ４０上に載置された回収カセット３０は、図３に示すステージ４０に形成されている開口部４０ａから取り外すことができ、またステージ４０上に載置することができるようになっている。
このとき、図２に示すように、集積ガイド板２６と、搬入ガイド板２５の壁部２５ｃとが接触しないように、集積ガイド板２６と壁部２５ｃとの間には所定量の間隙が形成されている。
【００４８】
また、図２（ｂ）に示すように、側板２４ｄと、搬入ガイド板２５の壁部２５ｃとが接触しないように、側板２４ｄの最上端が搬入ガイド板２５の壁部２５ｃの最下端よりも低くなるように側板２４ｄの高さが設定されている。
【００４９】
さらに、図５に示すように、ステージ４０には、規制部材４１が設けられ、側板２４ｃと当接することにより、回収カセット３０の移動を規制し、回収カセット３０がステージ４０から脱落することを防止している。
【００５０】
上述した構成の作用について説明する。
【００５１】
本実施例の発券装置による発券処理および廃券回収処理の処理動作について図１および図２に基づいて説明する。
【００５２】
発券処理によって媒体長Ｌの媒体Ｔ（本説明では周遊券）を発券する場合、発券装置１は、出札所の係員が入力した発券指示を受付けると、ロール紙２を搬送路４に繰出して、カッタ３でロール紙２を媒体長Ｌの長さに切断して周遊券の原券を作成する。
【００５３】
原券を作成した発券装置１は、作成した原券を搬送路４により印字部６へ搬送し、印字部６で原券のおもて面に発行日や周遊区間、料金、有効期間等の所定事項を印字し、印字を終えた原券を搬送路４によって磁気部７に搬送する。
【００５４】
印字を終えた原券が磁気部７に達すると、発券装置１は、磁気書込部７ａで所定の磁気情報を書込み、磁気読取部７ｂで、その磁気情報を読取って書込まれた情報の正否を判定し、正しい磁気情報が書込まれた正券と判定した場合は、当該周遊券を搬送路４により発券口８に搬送して係員に引渡す。
【００５５】
周遊券を受取った係員は、当該周遊券を顧客に手渡し、顧客によってその料金が支払われると、その料金の領収書の発行指示を入力する。
【００５６】
領収書の発行指示を受付けた発券装置１は、周遊券の場合と同様に、ロール紙２を媒体長Ｌの長さに切断して領収書の原券を作成し、その原券に、領収書の発行対象となった乗車券の種別（本説明では、○○周遊券）、領収金額、発行日等の所定事項を印字して磁気部７へ搬送し、磁気部７で書込まれた磁気情報が正しいと判定された場合は、当該領収書を発券口８に搬送して係員に引渡す。
【００５７】
領収書を受け取った係員は、当該領収書を顧客に手渡す。
【００５８】
このようにして、本実施例の発券装置１による発券処理が実行される。
【００５９】
上記した発券処理において、磁気部７で磁気書込部７ａにより書込まれた磁気情報が磁気読取部７ｂよって読取ることができない等の不良により廃券と判定された場合、発券装置１は、廃券回収処理を実行するために、廃券と判定した媒体Ｔの磁気情報を磁気部７によって消去し、当該媒体Ｔを搬送路４により廃券印字部１２へ搬送する。
【００６０】
媒体Ｔを廃券印字部１２へ搬送した発券装置１は、搬送された媒体Ｔに廃券印字を行い、廃券印字を終えた媒体Ｔを搬送路４によりパンチ部１３へ搬送して、パンチ部１３により当該媒体Ｔに穿孔を行い、穿孔を終えた媒体Ｔを搬送路４により廃券回収部２０へ搬送して、おもて面（印字面）を上にした状態の媒体Ｔの先端を、搬入口２１に設けられた搬入ローラ２２のローラ対に挟持させる。
【００６１】
廃券となった媒体Ｔを搬入ローラ２２で挟持した発券装置１は、挟持した媒体Ｔを搬入ローラ２２によって前面板２４ａに向けて送り出す。
【００６２】
前面板２４ａに向けて送り出された媒体Ｔは、先端が、前面板２４ａに向かって下る方向に傾斜した搬入ガイド板２５の天板部２５ａおよび角部に設けられた湾曲部２５ｂの内面に倣って曲げられながら搬入され、搬入ローラ２２による後端の挟持が解除されたときに媒体Ｔが搬入ガイド板２５の壁部２５ｃの方向に放出される。
【００６３】
放出された媒体Ｔは、先端部が搬入ガイド板２５の壁部２５ｃに接触して案内され、さらに集積ガイド板２６に接触して案内されて落下し、集積板２３上に集積された媒体Ｔの最上位に、おもて面を上にした状態で集積される。
【００６４】
このようにして、本実施例の発券装置１による廃券回収処理が実行される。特急券や指定券（媒体長：８５ｍｍ）、定期券の場合も同様である。
【００６５】
また、払い戻し処理の場合は、係員が払い戻し指示を入力した後に、顧客から受取った特急券や周遊券等の媒体Ｔを入券口１１から挿入すると、これを検知した発券装置１は、挿入された媒体Ｔを搬送路４により磁気部７へ搬送して、媒体Ｔに書込まれている磁気情報を消去する。その後は、上記と同様にして、払い戻しを行う媒体Ｔの廃券回収処理を実行する。
【００６６】
ここで、媒体Ｔの集積動作を図６の実施例における媒体集積動作の説明図に基づいて説明する。
【００６７】
上述したように、搬入ローラ２２によって放出された媒体Ｔは、先端部が搬入ガイド板２５の壁部２５ｃに接触して案内され、さらに集積ガイド板２６に接触して案内されて落下し、集積板２３上に集積された媒体Ｔの最上位に、おもて面を上にした状態で集積される。
【００６８】
このとき、図６に示すように、集積ガイド板２６に接触して案内された媒体Ｔは、集積ガイド板２６から離間すると、先端部Ｔａを下方向として落下し、集積板２３上に集積された最上位の媒体Ｔｂに、接触範囲Ｅにおいて当接する。
【００６９】
この接触範囲Ｅは、集積ガイド板２６の下方から前面板２４ａと媒体Ｔｂとの接触部Ｆを除いた部位までの範囲である。すなわち、落下した媒体Ｔの先端部Ｔａは、前面板２４ａと最上位の媒体Ｔｂとの接触部Ｆを除いた範囲において最上位の媒体Ｔｂと当接する。
【００７０】
これは、集積ガイド板２６と前面板２４ａとの間に、距離Ｌ２が保持されているためであり、先端部Ｔａを下方向として落下する媒体Ｔは空気の抵抗により前面板２４ａに接近しても前面板２４ａに到達する前に集積板２３上に集積された最上位の媒体Ｔｂに当接し、前面板２４ａまで到達することがないからである。
【００７１】
したがって、落下した媒体Ｔの先端部Ｔａは、前面板２４ａと最上位の媒体Ｔｂとの接触部Ｆに当接することがなく、前面板２４ａと最上位の媒体Ｔｂとの間に隙間が形成されることはない。
【００７２】
一方、集積ガイド板２６が設けられていない比較例の動作を図７の比較例における媒体集積動作の説明図に基づいて説明する。
【００７３】
図７に示すように、天板５５と前面板５４ａとが連続している場合、前面板５４ａと接触して案内され、落下する媒体Ｔの先端部Ｔａは、前面板５４ａと最上位の媒体Ｔｂとの接触部Ｆに当接する。媒体Ｔの先端部Ｔａが接触部Ｆにおいて最上位の媒体Ｔｂと当接すると、最上位の媒体Ｔｂに対して図中矢印Ｇが示す方向の力が働き、最上位の媒体Ｔｂは矢印Ｇが示す方向へ移動する。したがって、前面板５４ａと最上位の媒体Ｔｂとの間に隙間が形成される。
【００７４】
この隙間に後続して落下する媒体Ｔの先端部Ｔａが当接すると、媒体Ｔは最上位の媒体Ｔｂ上に集積されることなく、立位の状態が保持されてしまうことがあり、媒体の集積状態が不安定になってしまう。
【００７５】
本実施例では、集積ガイド板２６と前面板２４ａとの間に、距離Ｌ２を保持するように、後面板２４ｂ側に突出する集積ガイド板２６を前面板２４ａに設けたことにより、落下した媒体Ｔの先端部Ｔａが前面板２４ａと最上位の媒体Ｔｂとの接触部Ｆに当接することを抑制し、媒体Ｔの集積状態を安定化させることができる。
【００７６】
また、集積ガイド板２６の最下部２６ｄと、前面板２４ａの最下端、即ち集積板２３との上下方向における間隔（高さＬ１）を、媒体Ｔの搬入方向における媒体の長さＬより短く形成するようにしたことにより、集積ガイド板２６の最下部２６ｄと集積板２３との間に媒体Ｔが入り込みことがなく、媒体Ｔの集積状態を安定化させることができる。
【００７７】
また、本実施例の回収カセットは廃券回収部に対して着脱可能に構成されている。その回収カセットを廃券回収部に対して着脱する場合の作用について図８に基づいて説明する。
【００７８】
図８において、図中矢印Ｈが示す方向に回収カセット３０の上部を回転させて引き出す、または回収カセット３０を持ち上げ、矢印Ｈが示す方向に引き出すとき、集積ガイド板２６は搬入ガイド板２５の壁部２５ｃと干渉することがなく、また集積ガイド板２６および側板２４ｄは壁部２５ｃと干渉することがないため、回収カセット３０を円滑に引き出すことができる。また、回収カセット３０を廃券回収部に装着する場合も同様である。
【００７９】
以上説明したように、本実施例では、集積ガイド板と前面板との間に所定の距離を保持して後面板側に突出する集積ガイド板を前面板に設けたことにより、媒体収納部に集積する媒体の集積状態を安定させることができるという効果が得られる。
【００８０】
また、集積ガイド板の最下部と前面板の最下端（集積板）との上下方向における間隔を、媒体の搬入方向における媒体の長さＬより短く形成したことにより、媒体収納部に集積する媒体の集積状態を安定させることができるという効果が得られる。
【００８１】
上述した実施例においては、媒体収納部は、発券装置１の廃券回収部２０であるとして説明したが、媒体収納部は前記に限らず、ローラ対により媒体を集積する機能を有する収納庫または集積庫であれば、どのような媒体収納部であっても、本発明を適用すれば、上記と同様の効果を得ることができる。
【符号の説明】
【００８２】
１    発券装置
２    ロール紙
３    カッタ
４    搬送路
４ａ  搬送モータ
５    定期券収納部
６    印字部
７    磁気部
７ａ  磁気書込部
７ｂ  磁気読取部
８    発券口
１１  入券口
１２  廃券印字部
１３  パンチ部
２０  廃券回収部
２１  搬入口
２２  搬入ローラ
２３  集積板
２４ａ  前面板
２４ｂ  後面板
２４ｃ、２４ｄ  側板
２５  搬入ガイド板
２５ａ  天板部
２５ｂ  湾曲部
２５ｃ  壁部
２６  集積ガイド板
２８  後面ガイド
２９  回転抑止板
【図１】
2018049493.tif 000003
【図２】
2018049493.tif 000004
【図３】
2018049493.tif 000005
【図４】
2018049493.tif 000006
【図５】
2018049493.tif 000007
【図６】
2018049493.tif 000008
【図７】
2018049493.tif 000009
【図８】
2018049493.tif 000010